(57)【特許請求の範囲】
【請求項１】
モータにより駆動される駆動体と、該駆動体に空隙を介して対向配設された従動体と、上記駆動体と従動体とを夫々磁気的に結合する磁気カップリングと、上記従動体が駆動体より外れた従動体外れを検出できるセンサとより成り、上記駆動体から上記従動体にドリフト動作を伝達するようになっている走行体の複数を所定の走行路内で走行させて上記複数の走行体の着順を競う競争ゲーム装置において、
上記センサが上記駆動体のマグネットの下面に対向する２個の電気接点を有し、
上記磁気カップリングが、上記駆動体と従動体に夫々設けられたマグネットより成り、上記駆動体のマグネットを回転且つ上下動可能とし、上記従動体のマグネットを、上記駆動体のマグネットが回転されたとき上記従動体を支持しながら回転するものとし、
上記駆動体及び従動体マグネットが互いに正対しているときは上記駆動体のマグネットが上記従動体のマグネットに吸引されて上方に位置し、上記２個の電気接点は開放状態にあり、正対していないときは、上記駆動体のマグネットが上記従動体のマグネットに吸引されず、自重で下方に移動して、上記２個の電気接点を閉状態として上記従動体外れを検出することを特徴とする競争ゲーム装置。
【請求項２】
上記駆動体のマグネットを上下動自在に回転せしめる手段が、上記駆動体のマグネットとこれに設けたヨークとを回転且つ上下動自在に支持する支軸と、上記ヨークの外周に形成したギヤに噛合し上記駆動体のマグネットを上記支軸周りに回転する駆動ギヤとより成ることを特徴とする請求項１記載の競争ゲーム装置。
【請求項３】
上記駆動体のマグネットの下面にヨークを有し、このヨークの少なくも上記２個の電気接点と対向する面に金メッキを施してあることを特徴とする請求項１または２記載の競争ゲーム装置。
【発明の詳細な説明】
【０００１】
【発明の属する技術分野】
本発明は競争ゲーム装置、特に、モータの動力で走行する複数の走行体を所定のコース内で走行させて前記複数の走行体の着順を競うゲーム装置に関するものである。
【０００２】
【従来の技術】
一般にゲーム装置としては例えば特開平９−１９２３４７号公報に示されたものがある。図２Ａ及び図２Ｂは競争ゲーム装置の一種である競馬ゲーム装置の走行体２１の概略図である。走行体２１は駆動源をもつ駆動体２２と、４極に着磁されたマグネット２８ａ，２８ａ′，２８ｂ，２８ｂ′により駆動体２２に磁気カップリングされ駆動体２２に従って動く従動体（ここでは馬模型）２３から成っている。駆動体２２は駆動体走行面２４と馬模型走行板２５に挟まれながら下部中央の駆動輪２６と、上部・下部の補助輪２７によりフィールド上を自由に走行できるようになっている。駆動体２２の上部には２つのマグネット２８ａ，２８ａ′があり、マグネット２８ａ′はモータにより回転することにより馬模型２３に回転動力を伝達し、馬模型２３内部の機構により馬や騎手を動かし、よりリアルな演出をする。マグネット２８ａは、駆動体２２に固定され、マグネット２８ａ′の回転により馬模型２３自体が回ってしまわないようにする働きをする。
【０００３】
このような走行体２１を使用する競争ゲーム装置においては、ゲーム中に従動体（ここでは馬模型）２３が駆動体２２から外れる従動体外れが発生することがあり、このような場合は正常なゲームとはならないので、従動体外れが発生したら直ちにゲーム非成立の信号を発してゲームを中止させる必要がある。この従動体２３が駆動体２２から外れたことを検出してゲーム不成立の信号を発生させるために、上部右側に２つのホールセンサ２９及びヨーク３０ａが設けられている。この２つのホールセンサ２９それぞれの上方に馬模型２３側の２つの検出用マグネット３１とヨーク３０ｂがある。駆動体２２と馬模型２３が磁気カップリングされた正常な状態ではこれらの検出用マグネット３１、ヨーク３０ａ，３０ｂにより磁気回路が構成されホールセンサ２９により検出用マグネット３１の磁束を検出できる。何らかの障害により馬模型２３が駆動体２２から外れると検出用マグネット３１とホールセンサ２９とが離れ、ホールセンサ２９が検出用マグネット３１の磁束を検出できなくなるので馬模型２３が駆動体２２から外れる従動体外れを検出できる。
【０００４】
【発明が解決しようとする課題】
上述の如き従来の構成の競争ゲーム装置では、下記のような問題があった。
【０００５】
１．磁気カップリング用マグネットと検出用マグネットを別個に配置しなければならないため、走行体の大きさを大きくする必要がある。
【０００６】
２．例えばボートゲームの場合、ボートをよりリアルに見せるために、ボートがカーブを曲がるときのドリフトを演出させたい。これを実現するには駆動体が走行する方向と従動体であるボートの向きを変化させることが有効であり、その方法として、磁気カップリングにマグネットを１組だけ使用し、駆動体の磁気カップリング用マグネットを回転させることにより従動体であるボートの向きを変える方法が考えられる。しかし、上述の従来装置のように磁気カップリング用マグネットのほかに検出用マグネットを配置してホールセンサによりその磁束の有無を検出して従動体外れを検出する方法では、駆動体の進行方向に対して従動体の向きを変えたとき検出用マグネットとホールセンサが離れ、検出用マグネットの磁束を検出できなくなり従動体外れと誤検出してしまうなどの問題がある。
【０００７】
本発明の目的は上記のような問題を解決し、省スペース・低コストで従動体が駆動体との磁気カップリングから外れる従動体外れを検出することにある。
【０００８】
【課題を解決するための手段】
本発明の競争ゲーム装置は、モータにより駆動される駆動体と、該駆動体に空隙を介して対向配設された従動体と、上記駆動体と従動体とを夫々磁気的に結合する磁気カップリングと、上記従動体が駆動体より外れた従動体外れを検出できるセンサとより成り、上記駆動体から上記従動体にドリフト動作を伝達するようになっている走行体の複数を所定の走行路内で走行させて上記複数の走行体の着順を競う競争ゲーム装置において、上記センサが上記駆動体のマグネットの下面に対向する２個の電気接点を有し、上記磁気カップリングが、上記駆動体と従動体に夫々設けられたマグネットより成り、上記駆動体のマグネットを回転且つ上下動可能とし、上記従動体のマグネットを、上記駆動体のマグネットが回転されたとき上記従動体を支持しながら回転するものとし、上記駆動体及び従動体マグネットが互いに正対しているときは上記駆動体のマグネットが上記従動体のマグネットに吸引されて上方に位置し、上記２個の電気接点は開放状態にあり、正対していないときは、上記駆動体のマグネットが上記従動体のマグネットに吸引されず、自重で下方に移動して、上記２個の電気接点を閉状態として上記従動体外れを検出することを特徴とする。
【０００９】
また、本発明においては、上記駆動体のマグネットを上下動自在に回転せしめる手段が、上記駆動体のマグネットとこれに設けたヨークとを回転且つ上下動自在に支持する支軸と、上記ヨークの外周に形成したギヤに噛合し上記駆動体のマグネットを上記支軸周りに回転する駆動ギヤとより成ることを特徴とする。
【００１１】
上記駆動体はマグネットの下面にヨークを有し、このヨークの少なくも上記２個の電気接点と対向する面に金メッキを施してあることを特徴とする。
【００１２】
【発明の実施の形態】
以下図面によって本発明の実施例を説明する。
【００１３】
図１Ａ〜図１Ｄは本発明を適用する競争ゲーム装置に使用される走行体１の概略図である。走行体１は駆動源をもつ駆動体２と、その駆動体２とマグネット８ａ，８ｂにより磁気カップリングされ駆動体２に従って動く従動体（ここではボート模型）３から成っている。駆動体２は駆動体走行面４と水槽５の底板に挟まれながら上部左側の駆動輪６と、上部・下部の補助輪７によりフィールド上を自由に走行できるようになっている。この駆動体２の上部には水槽５の底板を隔ててボート模型３と非接触で結合できるようにその端面に４極に着磁されたマグネット８ａが設けられている。このマグネット８ａの下部には金メッキされたヨーク９が接着されている。このヨーク９の外周にはギヤが形成されており、数段のギヤ１０を介してモータ１１により軸１２回りにマグネット８ａを回転するようになっている。
【００１４】
また、ボート模型３の下部にも駆動体２と非接触で結合するためにその端面に４極に着磁されたマグネット８ｂがあり、駆動体２のマグネット８ａを回転することによりボート模型３も回転し、駆動体２の走行方向とは異なる方向にボート模型３の向きを変えて、ボート模型３がコーナーで曲がるときのドリフトをリアルに演出できるようになっている。
【００１５】
また、図１Ｂに示すようにモータ１１の軸１２の軸受には自己潤滑性のある樹脂製のフランジ付きブッシュ１３を使用し、ヨーク９に圧入している。軸１２は段付きになっていて、段付き部はマグネット８ａが下方に移動したときの下側のストッパになり、上部にはワッシャー１４を軸１２にネジ止めして上側のストッパになっている。軸１２の段付き部とワッシャー１４間の寸法はフランジ付きブッシュ１３の軸方向の寸法より若干大きくなっていて、マグネット８ａが回転だけでなく上下に移動できるようになっている。また、図１ｂに示すようにヨーク９の下面に対向して２個の電気接点１５が設けられている。
【００１６】
図１Ａに示すように駆動体２とボート模型３がマグネット８ａ，８ｂにより正常に磁気カップリングされているとき、駆動体２のマグネット８ａはボート模型３のマグネット８ｂにより上方に引き寄せられマグネット８ａと一体のヨーク９は対向している２個の電気接点１５とは離れており、２個の電気接点１５は開放状態となっている。何らかの障害により図１Ｃに示すようにボート模型３が駆動体２とのマグネット８ａ，８ｂによる磁気カップリングから外れると、図１Ｄに示すように駆動体２のマグネット８ａが自重により下方に移動し、ヨーク９の下方の２つの電気接点１５にヨーク９が接触し、ヨーク９を介して導通する。従って、この導通したことを検出回路により検出することにより駆動体２からボート模型３が外れたこと（従動体外れ）を検出することができる。
【００１７】
【発明の効果】
本発明による競争ゲーム装置は、上記のような構成であるから、従動体が駆動体との磁気カップリングより外れた状態である従動体外れを簡単かつ安価に検出できる大きな利益がある。
【図面の簡単な説明】
【図１Ａ】本発明のよる競争ゲーム装置に使用する走行体の概略説明図である。
【図１Ｂ】図１Ａの一部の拡大図である。
【図１Ｃ】従動体外れの説明図である。
【図１Ｄ】従動体外れの説明図である。
【図２Ａ】従来技術による走行体の概略説明図である。
【図２Ｂ】図２Ａに示す走行体の従動体外れの説明図である。
【符号の説明】
１      走行体
２      駆動体
３      従動体（ボート模型）
４      駆動体走行面
５      水槽
６      駆動輪
７      補助輪
８ａ    マグネット
８ｂ    マグネット
９      ヨーク
１０      ギヤ
１１      モータ
１２      軸
１３      ブッシュ
１４      ワッシャー
１５      電気接点
２１      走行体
２２      駆動体
２３      従動体（馬模型）
２４      駆動体走行面
２５      馬模型走行板
２６      駆動輪
２７      補助輪
２８ａ    マグネット
２８ａ′  マグネット
２８ｂ    マグネット
２８ｂ′  マグネット
２９      ホールセンサ
３０ａ    ヨーク
３０ｂ    ヨーク
３１      検出用マグネット
【図１Ａ】
0003996312.tif 000002
【図１Ｂ】
0003996312.tif 000003
【図１Ｃ】
0003996312.tif 000004
【図１Ｄ】
0003996312.tif 000005
【図２Ａ】
0003996312.tif 000006
【図２Ｂ】
0003996312.tif 000007